Podtech/llm-jp-corpus-v4-ja_patent huggingface dataset:
【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
デバイスに関する位置を返すためのコンピュータ実装方法であって、前記方法は、
デバイスによってキャプチャされた第１の画像および前記デバイスの第１の方位を１つ以上のネットワークを通じて前記デバイスから受信するステップと、
前記デバイスによってキャプチャされた第２の画像および前記デバイスの第２の方位を前記１つ以上のネットワークを通じて前記デバイスから受信するステップと、
前記第１の画像に含まれた第１のオブジェクトの第１の位置および前記第２の画像に含まれた第２のオブジェクトの第２の位置を決定するステップであって、前記第１の位置および前記第２の位置は、オブジェクト位置のデータベースを用いて取得される、前記決定するステップと、
前記第１の方位、前記第２の方位、前記第１のオブジェクトの前記第１の位置および前記第２のオブジェクトの前記第２の位置に応じて前記デバイスのデバイス位置を決定するステップと、
前記デバイス位置を前記デバイスへ送信するステップと
を備える、コンピュータ実装方法。
【請求項２】
前記デバイス位置を決定するステップは、
ある座標系において、前記第１のオブジェクトの前記第１の位置に対応する第１の点を通過する前記第１の方位をもつ第１の線、および前記第２のオブジェクトの前記第２の位置に対応する第２の点を通過する前記第２の方位をもつ第２の線を決定するステップと、
前記座標系における前記第１の線と前記第２の線との交点に基づいて前記デバイスの前記デバイス位置を決定するステップと
を備える、請求項１に記載のコンピュータ実装方法。
【請求項３】
前記第１の位置および前記第２の位置を取得するステップは、
前記第１のオブジェクトおよび前記第２のオブジェクトを特定するために前記第１の画像および前記第２の画像の画像解析を行うステップと、
前記第１のオブジェクトおよび前記第２のオブジェクトを前記データベース中の複数の位置画像と比較するステップと、
前記第１のオブジェクトを前記複数の位置画像の少なくとも１つに、かつ前記第２のオブジェクトを前記複数の位置画像の少なくとも１つにマッチングさせるステップであって、前記第１の位置は、前記第１のオブジェクトにマッチングされた前記少なくとも１つの位置画像と関連付けられた位置データによって与えられ、前記第２の位置は、前記第２のオブジェクトにマッチングされた前記少なくとも１つの位置画像と関連付けられた位置データによって与えられる、前記マッチングさせるステップと
を備える、請求項１に記載のコンピュータ実装方法。
【請求項４】
前記デバイスから受信される前記第１の方位および前記第２の方位は、前記デバイスによって前記デバイス中のセンサを用いて決定される、請求項１に記載のコンピュータ実装方法。
【請求項５】
前記デバイスの前記第１の方位は、前記デバイスの軸方向と参照方向との間の角度である、請求項１に記載のコンピュータ実装方法。
【請求項６】
前記デバイス位置を決定するステップは、リモート・サーバによって行われ、前記方法は、前記デバイス位置をあるデバイスへ送信するステップをさらに備える、請求項１に記載のコンピュータ実装方法。
【請求項７】
前記デバイス位置を決定するステップは、前記デバイスによって行われ、前記方法は、
前記デバイス位置を前記デバイス上に表示するステップと、
前記デバイスから第３のオブジェクトの第３の画像を受信するステップと、
前記第３のオブジェクトの位置を取得できないことに応答して、前記デバイスのユーザへ通知を提示するステップと
をさらに備える、請求項１に記載のコンピュータ実装方法。
【請求項８】
デバイスに関する位置を返すためのコンピュータ・システムであって、前記システムは、
プロセッサ、および
前記プロセッサに結合されたコンピュータ可読メモリ
を備え、前記メモリは、前記プロセッサによって実行されたときに、以下の動作：
デバイスによってキャプチャされた第１の画像および前記デバイスの第１の方位を１つ以上のネットワークを通じて前記デバイスから受信するステップと、
前記デバイスによってキャプチャされた第２の画像および前記デバイスの第２の方位を前記１つ以上のネットワークを通じて前記デバイスから受信するステップと、
前記第１の画像に含まれた第１のオブジェクトの第１の位置および前記第２の画像に含まれた第２のオブジェクトの第２の位置を決定するステップであって、前記第１の位置および前記第２の位置は、オブジェクト位置のデータベースを用いて取得される、前記決定するステップと、
前記第１の方位、前記第２の方位、前記第１のオブジェクトの前記第１の位置および前記第２のオブジェクトの前記第２の位置に応じて前記デバイスのデバイス位置を決定するステップと、
前記デバイス位置を前記デバイスへ送信するステップと
行う命令を備える、
コンピュータ・システム。
【請求項９】
コンピュータ・プログラムであって、プロセッサに、
デバイスによってキャプチャされた第１の画像および前記デバイスの第１の方位を１つ以上のネットワークを通じて前記デバイスから受信させ、
前記デバイスによってキャプチャされた第２の画像および前記デバイスの第２の方位を前記１つ以上のネットワークを通じて前記デバイスから受信させ、
前記第１の画像に含まれた第１のオブジェクトの第１の位置および前記第２の画像に含まれた第２のオブジェクトの第２の位置を決定し、前記第１の位置および前記第２の位置は、オブジェクト位置のデータベースを用いて取得させ、
前記第１の方位、前記第２の方位、前記第１のオブジェクトの前記第１の位置および前記第２のオブジェクトの前記第２の位置に応じて前記デバイスのデバイス位置を決定して、
前記デバイス位置を前記デバイスへ送信させる
ためのコンピュータ・プログラム。
【請求項１０】
請求項９に記載のコンピュータ・プログラムを記憶したコンピュータ可読記憶媒体。
【請求項１１】
デバイスに関する位置を返すためのコンピュータ実装方法であって、前記方法は、
デバイスによってキャプチャされた第１の画像および前記デバイスの第１の方位を１つ以上のネットワークを通じてサーバへ送信するステップと、
前記デバイスによってキャプチャされた第２の画像および前記デバイスの第２の方位を前記１つ以上のネットワークを通じてサーバへ送信するステップと、
前記１つ以上のネットワークを通じて前記第１の画像に含まれた第１のオブジェクトの第１の位置および前記第２の画像に含まれた第２のオブジェクトの第２の位置を受信するステップであって、前記第１の位置および前記第２の位置は、オブジェクト位置のデータベースを用いて取得される、前記受信するステップと、
前記第１の方位、前記第２の方位、前記第１のオブジェクトの前記第１の位置および前記第２のオブジェクトの前記第２の位置に応じて前記デバイスのデバイス位置を決定するステップと
を備える、コンピュータ実装方法。
【誤訳訂正書】
【提出日】令和3年2月26日(2021.2.26)
【誤訳訂正１】
【訂正対象書類名】特許請求の範囲
【訂正対象項目名】全文
【訂正方法】変更
【訂正の内容】
【特許請求の範囲】
【請求項１】
成長分化因子１５（ｇｒｏｗｔｈ  ｄｉｆｆｅｒｅｎｔｉａｔｉｏｎ  ｆａｃｔｏｒ  １５；以下、ＧＤＦ１５）タンパク質をコードする核酸配列の発現又はＧＤＦ１５タンパク質の活性を測定する剤を含む非アルコール脂肪肝疾患（ｎｏｎ−ａｌｃｏｈｏｌｉｃ  ｆａｔｔｙ  ｌｉｖｅｒ  ｄｉｓｅａｓｅ；ＮＡＦＬＤ）における肝線維化の予測又は診断用組成物。
【請求項２】
前記ＧＤＦ１５タンパク質は、検体から分離された生物学的試料に由来する、請求項１に記載の組成物。
【請求項３】
前記生物学的試料は、血液又は生検組織から得られる、請求項２に記載の組成物。
【請求項４】
前記ＧＤＦ１５タンパク質は、配列番号１のアミノ酸配列からなる、請求項１に記載の組成物。
【請求項５】
前記剤は、ＧＤＦ１５タンパク質又はその断片に特異的に結合可能な抗体である、請求項１に記載の組成物。
【請求項６】
次の段階を含む、非アルコール脂肪肝疾患（ｎｏｎ−ａｌｃｏｈｏｌｉｃ  ｆａｔｔｙ  ｌｉｖｅｒ  ｄｉｓｅａｓｅ；ＮＡＦＬＤ）における肝線維化の予防、治療又は改善候補物質スクリーニング方法：
被検試料を成長分化因子１５（ｇｒｏｗｔｈ  ｄｉｆｆｅｒｅｎｔｉａｔｉｏｎ  ｆａｃｔｏｒ  １５；ＧＤＦ１５）タンパク質で処理する処理段階；及び
前記ＧＤＦ１５タンパク質の活性を抑制する被検試料を選別する分析段階。
【請求項７】
前記ＧＤＦ１５タンパク質は、配列番号１のアミノ酸配列からなる、請求項１０に記載の方法。
【請求項８】
次の段階を含む、非アルコール脂肪肝疾患（ｎｏｎ−ａｌｃｏｈｏｌｉｃ  ｆａｔｔｙ  ｌｉｖｅｒ  ｄｉｓｅａｓｅ；ＮＡＦＬＤ）における肝線維化の予防、治療又は改善候補物質スクリーニング方法：
被検試料を成長分化因子１５（ｇｒｏｗｔｈ  ｄｉｆｆｅｒｅｎｔｉａｔｉｏｎ  ｆａｃｔｏｒ  １５；ＧＤＦ  １５）タンパク質発現細胞で処理する処理段階；及び
前記細胞においてＧＤＦ１５タンパク質の活性を抑制する被検試料を選別する分析段階。
【請求項９】
前記ＧＤＦ１５タンパク質は、配列番号１のアミノ酸配列からなる、請求項８に記載の方法。
【誤訳訂正２】
【訂正対象書類名】明細書
【訂正対象項目名】００１０
【訂正方法】変更
【訂正の内容】
【００１０】
本発明のさらに他の目的は、次の段階を含む、肝疾患予防、治療又は改善候補物質スクリーニング方法を提供することにある：
被検試料をＧＤＦ１５タンパク質発現細胞で処理する段階；及び
前記細胞においてＧＤＦ１５タンパク質の活性を抑制する被検試料を選別する段階。
【誤訳訂正３】
【訂正対象書類名】明細書
【訂正対象項目名】００３７
【訂正方法】変更
【訂正の内容】
【００３７】
本発明のさらに他の態様は、次の段階を含む、肝疾患予防、治療又は改善候補物質スクリーニング方法である：
被検試料を成長分化因子１５（ｇｒｏｗｔｈ  ｄｉｆｆｅｒｅｎｔｉａｔｉｏｎ  ｆａｃｔｏｒ  １５；ＧＤＦ１５）タンパク質発現細胞で処理する処理段階；及び
前記細胞においてＧＤＦ１５タンパク質の活性を抑制する被検試料を選別する分析段階。
【手続補正書】
【提出日】令和3年6月3日(2021.6.3)
【手続補正１】
【補正対象書類名】特許請求の範囲
【補正対象項目名】全文
【補正方法】変更
【補正の内容】
【特許請求の範囲】
【請求項１】
身体部位の放射線医薬品定量化のための装置（１０）であって、
−  入力ユニット（２０）と、
−  処理ユニット（３０）とを含み、
前記入力ユニットが、前記処理ユニットに身体部位の少なくとも１つのガンマ画像を提供するように構成され、
前記少なくとも１つのガンマ画像が、ガンマ線および／またはＸ線を検出するように構成される少なくとも１つのガンマカメラによって取得されたものであり、
前記少なくとも１つのガンマ画像が、少なくとも１つの放射線医薬品の崩壊から生じたデータを含むスペクトルエネルギーデータを含み、
前記入力ユニットが、前記処理ユニットに、前記少なくとも１つの放射線医薬品の崩壊と関連付けられた特徴的な光子放出エネルギーおよび放出確率を提供するように構成され、
前記処理ユニットが、前記身体部位内の複数の空間位置における前記少なくとも１つの放射線医薬品の活量を決定するように構成され、
前記複数の空間位置のうちのある空間位置についての決定が、その空間位置に対応する前記少なくとも１つのガンマ画像内の少なくとも１つの位置についての前記スペクトルエネルギーデータから生成される実験スペクトルの生成された合成スペクトルへの相関を含み、
前記合成スペクトルの生成が、前記少なくとも１つの放射線医薬品の崩壊と関連付けられた前記光子放出エネルギーおよび放出確率の利用を含み、
前記処理ユニットが、前記身体部位内の前記少なくとも１つの放射線医薬品の空間分布を決定するように構成される、
装置（１０）。
【請求項２】
身体部位の放射線医薬品定量化のためのシステム（１００）であって、
−  光子取得ユニット（１１０）と、
−  請求項１に記載の身体部位の放射線医薬品定量化のための装置（１０）と、
−  出力ユニット（１２０）とを含み、
前記光子取得ユニットが、少なくとも１つのガンマカメラ（１３０）を含み、前記光子取得ユニットが、前記少なくとも１つのガンマ画像を提供するように構成され、
前記出力ユニットが、前記身体部位内の前記少なくとも１つの放射線医薬品の空間分布を含む画像を出力するように構成される、
システム（１００）。
【請求項３】
身体部位の放射線医薬品定量化のための方法（２００）であって、
（ａ）処理ユニット（３０）に身体部位の少なくとも１つのガンマ画像を提供すること（２１０）であって、前記少なくとも１つのガンマ画像が、ガンマ線および／またはＸ線を検出するように構成される少なくとも１つのガンマカメラによって取得されたものであり、前記少なくとも１つのガンマ画像が、少なくとも１つの放射線医薬品の崩壊から生じたデータを含むスペクトルエネルギーデータを含む、提供すること（２１０）と、
（ｂ）前記処理ユニットに、前記少なくとも１つの放射線医薬品の崩壊と関連付けられた特徴的な光子放出エネルギーおよび放出確率を提供すること（２２０）と、
（ｃ）前記処理ユニットによって、前記身体部位内の複数の空間位置における前記少なくとも１つの放射線医薬品の活量を決定すること（２３０）であって、前記複数の空間位置のうちのある空間位置についての決定が、
（ｃ１）合成スペクトルを生成すること（２４０）と、生成した前記合成スペクトルを、その空間位置に対応する前記少なくとも１つのガンマ画像内の少なくとも１つの位置についての前記スペクトルエネルギーデータから生成される実験スペクトルに相関させることとを含み、前記合成スペクトルを生成することが、前記少なくとも１つの放射線医薬品の崩壊と関連付けられた光子放出エネルギーおよび放出確率を利用することを含む、決定すること（２３０）と、
（ｄ）前記処理ユニットによって、前記身体部位内の前記少なくとも１つの放射線医薬品の空間分布を決定すること（２５０）と、
を含む方法（２００）。
【請求項４】
プロセッサによって実行されるときに請求項３に記載の方法を実行するように構成される、請求項１に記載の装置および／または請求項２に記載のシステムを制御するためのコンピュータプログラム要素。
【請求項５】
請求項４に記載のプログラム要素が格納されているコンピュータ可読媒体。
【手続補正書】
【提出日】令和3年7月20日(2021.7.20)
【手続補正１】
【補正対象書類名】特許請求の範囲
【補正対象項目名】全文
【補正方法】変更
【補正の内容】
【特許請求の範囲】
【請求項１】
ワークフローサーバーにおいて、
実施された以前の画像獲得手法に関連したデータを受信するステップであって、前記画像獲得手法が、それぞれの画像オーダーを含み、前記画像オーダーが、それぞれのコンテキストを含み、前記画像獲得手法の各々が、画像を捕捉するために少なくとも１つのシーケンス規定設定を使用している、受信するステップと、
前記コンテキストのうちの第１のコンテキストのための前記少なくとも１つのシーケンスのうちの第１のシーケンスの使用に関連した少なくとも１つの尺度を決定するステップと、
前記少なくとも１つの尺度に基づいて前記第１のコンテキストを含む後続の画像獲得手法に対して前記第１のシーケンスを含めるか除外するかを表すルールを生成するステップと、
を有する、方法。
【請求項２】
前記データが、少なくとも１つの電子医療記録（ＥＭＲ）、画像オーダーの理由を包含した画像オーダー情報、シーケンス使用情報、又はそれらの組合せを含む、
請求項１に記載の方法。
【請求項３】
前記少なくとも１つの尺度が、前記第１のシーケンスが使用される前記第１のコンテキストに対する前記以前の獲得手法における画像捕捉のパーセンテージ、前記画像捕捉が使用される前記第１のコンテキストに対する前記以前の獲得手法における解釈のパーセンテージ、又はそれらの組合せを含む、
請求項１に記載の方法。
【請求項４】
前記ルールが、前記第１のコンテキストに対する前記第１のシーケンスの優先度を特定し、前記優先度は、前記第１のシーケンスが、前記第１のコンテキストに対して必須であるか、前記第１のコンテキストに対して提案対象であるか、又は前記第１のコンテキストに対して省略対象であるかである、
請求項１に記載の方法。
【請求項５】
前記第１のコンテキストが、前記第１のシーケンスを含む第１のプロトコル、第１の画像獲得手法に対応した第１の画像オーダー、前記第１の画像オーダーに対する第１の理由、前記第１の画像獲得手法を受けた少なくとも１人の患者の臨床プロファイル、又はそれらの組合せに基づく、
請求項１に記載の方法。
【請求項６】
さらなるルールに対する手動入力を受信するステップをさらに有し、前記さらなるルールが、ユーザーにより修正されたルール、ユーザーにより生成されたルール、安全ルール、コンプライアンスルール、又はそれらの組合せのうちの１つである、
請求項１に記載の方法。
【請求項７】
前記後続の画像獲得手法に対応した後続の画像オーダーを受信するステップであって、前記後続の画像オーダーが、後続のコンテキストを含む、ステップと、
前記後続のコンテキストが前記第１のコンテキストに対応しているか否かを判定するステップと、
前記後続のコンテキストが前記第１のコンテキストに対応している場合、前記ルールに基づいて前記第１のシーケンスを前記後続の画像獲得手法に含めるか除外するかの標示を決定するステップと、
をさらに有する、請求項１に記載の方法。
【請求項８】
前記後続の画像獲得手法における前記第１のシーケンスに対する前記標示に対応した推奨案を生成するステップと、
前記後続の画像獲得手法において使用されるシーケンスを選択するユーザーデバイスに前記推奨案を送信するステップと、
をさらに有する、請求項７に記載の方法。
【請求項９】
前記後続の画像獲得手法における前記第１のシーケンスに対する前記標示を自動的に実施することをさらに有する、
請求項７に記載の方法。
【請求項１０】
前記画像獲得手法が、Ｘ線手法、コンピュータ断層撮影（ＣＴ）手法、磁気共鳴イメージング（ＭＲＩ）手法、超音波手法、陽電子放射断層撮影（ＰＥＴ）スキャン手法、単光子放射型コンピュータ断層撮影（ＳＰＥＣＴ）スキャン手法、又はそれらの組合せを使用して実施される画像捕捉動作に対応する、
請求項１に記載の方法。
【請求項１１】
通信ネットワークを介して通信する送受信器であって、前記送受信器が、実施された以前の画像獲得手法に関連したデータを受信し、前記画像獲得手法が、それぞれの画像オーダーを含み、前記画像オーダーが、それぞれのコンテキストを含み、前記画像獲得手法の各々が、画像を捕捉するために少なくとも１つのシーケンス規定設定を使用している、送受信器と、
実行可能プログラムを記憶するメモリと、
プロセッサであって、
前記コンテキストのうちの第１のコンテキストのための前記少なくとも１つのシーケンスのうちの第１のシーケンスの使用に関連した少なくとも１つの尺度を決定することと、
前記少なくとも１つの尺度に基づいて前記第１のコンテキストを含む後続の画像獲得手法に対して前記第１のシーケンスが選択されるか否かを表すルールを生成することと、
を含む動作を前記プロセッサに実施させる前記実行可能プログラムを実行する、プロセッサと、
を備える、ワークフローサーバー。
【請求項１２】
前記少なくとも１つの尺度が、前記第１のシーケンスが使用される前記第１のコンテキストに対する前記以前の獲得手法における画像捕捉のパーセンテージ、前記画像捕捉が使用される前記第１のコンテキストに対する前記以前の獲得手法における解釈のパーセンテージ、又はそれらの組合せを含む、
請求項１１に記載のワークフローサーバー。
【請求項１３】
前記ルールが、前記第１のコンテキストに対する前記第１のシーケンスの優先度を特定し、前記優先度は、前記第１のシーケンスが、前記第１のコンテキストに対して必須であるか、前記第１のコンテキストに対して提案対象であるか、又は、前記第１のコンテキストに対して省略対象であるかである、
請求項１１に記載のワークフローサーバー。
【請求項１４】
前記第１のコンテキストが、前記第１のシーケンスを含む第１のプロトコル、第１の画像獲得手法に対応した第１の画像オーダー、前記第１の画像オーダーに対する第１の理由、前記第１の画像獲得手法を受けた少なくとも１人の患者の臨床プロファイル、又はそれらの組合せに基づく、
請求項１１に記載のワークフローサーバー。
【請求項１５】
前記送受信器が、さらなるルールに対する手動入力をさらに受信し、前記さらなるルールが、ユーザーにより修正されたルール、ユーザーにより生成されたルール、安全ルール、コンプライアンスルール、又はそれらの組合せのうちの１つである、
請求項１１に記載のワークフローサーバー。
【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
−第１のアレイ状態の原子アレイを形成すること、ここで前記形成することが、
保持トラップアレイに複数の原子をトラップすること、ここで前記保持
トラップアレイが少なくとも３つの閉込め領域を有し、任意に、前記保持
トラップアレイが、少なくとも１つの保持音響光学偏向器（ＡＯＤ）、空
間光変調器（ＳＬＭ）、又は光格子の少なくとも１つにより生成される、
第１の複数及び第２の複数の離散アジャスタブル音響トーン周波数のそ
れぞれで第１の制御音響光学偏向器（ＡＯＤ）及び第２の制御ＡＯＤを励
起すること、
前記第１の制御音響光学偏向器（ＡＯＤ）及び第２の制御ＡＯＤにレー
ザーを通すこと、
前記トラップされた原子を含む前記閉込め領域と前記離散アジャスタブ
ル音響トーン周波数を相関付けること、並びに
少なくとも１つの相関付けられた音響トーンの少なくとも１つの周波数
をスイープすることにより、前記保持トラップアレイの行の複数の原子の
位置を調整すること、
を含み、
を含む、方法であって、前記方法は、
−前記トラップされた原子の少なくともいくつかを光子エネルギーに供して前記トラップされた原子の少なくともいくつかを励起状態に遷移させることにより、前記第１のアレイ状態の複数の原子を第２のアレイ状態の複数の原子に発展させること、及び
−前記第２のアレイ状態の複数の原子を観測すること、
をさらに含む、方法。
【請求項２】
前記複数の原子を発展させることが、前記原子の少なくともいくつかを光子エネルギーに供する前に、前記第１のアレイ状態の原子の少なくともいくつかをその基底状態のゼーマン副準位に調製することを含み、任意に、前記第１のアレイ状態の少なくともいくつかの原子をその基底状態のゼーマン副準位に調製することが、磁界における光ポンピングを含む、請求項１に記載の方法。
【請求項３】
前記原子の少なくともいくつかを光子エネルギーに供することが、２つの異なる波長を有する光を適用することを含み、前記２つの異なる波長が約４２０ｎｍ及び約１０１３ｎｍであり、前記原子の少なくともいくつかを励起状態に遷移させることが、２光子遷移を含む方法であって、前記方法は、任意に、第３の波長で位相ゲートを適用することをさらに含み、前記第３の波長が約８０９ｎｍである、請求項１に記載の方法。
【請求項４】
前記原子の少なくともいくつかを光子エネルギーに供することが、２つのπ／２パルスを適用することを含み、任意に、前記原子の少なくともいくつかを光子エネルギーに供することが、前記２つのπ／２パルス間にπパルスを適用することをさらに含む、請求項１に記載の方法。
【請求項５】
原子アレイをエンコードして量子計算問題を実行すること、
前記量子計算問題の解を生成すること、及び
前記量子計算問題の解を読み取ることをさらに含み、
原子アレイをエンコードして量子計算問題を実行することが、少なくとも１つの相関付けられた音響トーンの少なくとも１つの周波数をスイープすることにより、前記保持トラップアレイの行の複数の原子の位置を調整することを含み、
前記量子計算問題の解を生成することが、前記第１のアレイ状態の複数の原子を第２のアレイ状態の複数の原子に発展させることを含み、
前記量子計算問題の解を読み取ることが、前記第２のアレイ状態の複数の原子を観測することを含む、請求項１に記載の方法。
【請求項６】
前記量子計算問題が、イジング問題及び最大独立集合（ＭＩＳ）最適化問題の少なくとも１つを含む、請求項５に記載の方法。
【請求項７】
保持トラップアレイに第１のアレイ状態の原子を配置するための閉込めシステム、ここで前記閉込めシステムが：
少なくとも３つの閉込め領域を有する保持トラップアレイ、ここで任意に、前記保持トラップアレイが、少なくとも１つの保持音響光学偏向器（ＡＯＤ）、空間光変調器（ＳＬＭ）、又は光格子の少なくとも１つにより生成される、
交差関係にある第１の制御音響光学偏向器（ＡＯＤ）及び第２の制御ＡＯＤ、
複数の離散アジャスタブル音響トーン周波数を前記第１及び第２のＡＯＤに選択的に印加するように構成されかつ少なくとも１つの音響トーンの少なくとも１つの周波数をスイープすることにより、前記保持トラップアレイの行の複数の原子の位置を調整するように構成されたアジャスタブル音響トーン周波数印加源、ここで前記離散アジャスタブル音響トーン周波数が前記原子を含む前記閉込め領域と相関付けられる、並びに
前記第１及び第２のＡＯＤに光を通すように配置されたレーザー光源、
を含む、
原子雲源、ここで前記原子雲源が、前記複数の閉込め領域に少なくとも部分的にオーバーラップするように原子雲を位置決めするように構成される、
前記第１のアレイ状態の前記トラップアレイ中の複数の原子の少なくともいくつかを第２のアレイ状態の複数の原子に発展させるための励起源、ここで前記励起源が少なくとも１つの光子エネルギー源を含む、
前記第２のアレイ状態の複数の原子を観測するための観測システム、
を含む、システム。
【請求項８】
前記励起源が、前記第１のアレイ状態の複数の原子の少なくともいくつかをリュードベリ状態に励起するように構成される、請求項１に記載の方法又は請求項７に記載のシステム。
【請求項９】
前記励起源が、前記原子の少なくともいくつかを光子エネルギーに供する前に、前記第１のアレイ状態の複数の原子の少なくともいくつかをその基底状態のゼーマン副準位に励起するように構成され、任意に、前記励起源が、光ポンピングシステムと磁界発生器とをさらに含む、請求項７に記載のシステム。
【請求項１０】
前記少なくとも１つの光子エネルギー源が、前記第１のアレイ状態の複数の原子の少なくともいくつかの２光子遷移を生成するために、第１の波長及び第２の波長を有する光源を含み、前記第１の波長が約４２０ｎｍであり、前記第２の波長が約１０１３ｎｍであり、任意に、前記少なくとも１つの光子エネルギー源が、位相ゲートを適用するための第３の波長を有する光源を含み、前記第３の波長が約８０９ｎｍである、請求項７に記載のシステム。
【請求項１１】
励起システムが、２つのπ／２パルスを適用するように構成され、任意に、励起システムが、前記２つのπ／２パルス間にπパルスを適用するように構成される、請求項１０に記載のシステム。
【手続補正書】
【提出日】令和3年7月8日(2021.7.8)
【手続補正１】
【補正対象書類名】特許請求の範囲
【補正対象項目名】全文
【補正方法】変更
【補正の内容】
【特許請求の範囲】
【請求項１】
エンドレスベルトを印刷システム内に設置するためのキットであって、前記キットは、
−前記印刷システムに沿って誘導されるように構成された第１の自由端および第２の自由端を有する可撓性ベルトと、
−基板層およびその上に配置された固形シリコーンゴム層を含む、熱硬化性テープと、
を含み、
前記熱硬化性テープは、前記可撓性ベルトの第１の自由端および第２の自由端上に貼り付けられて、前記熱硬化性テープの固形シリコーンゴム層を前記可撓性ベルトの第１の自由端および第２の自由端に対して熱硬化させるために加熱され、そのため前記第１の自由端および前記第２の自由端を結合する継ぎ目を形成し、それにより前記可撓性ベルトをエンドレスベルトに変換するように適合される、キット。
【請求項２】
前記可撓性ベルトは、以下の特性：
１〜２０メートル、５〜２０メートル、５〜１５メートル、５〜１２メートル、または７〜１２メートルの範囲内の長さ、
０．１〜２．０メートル、０．３〜２．０メートル、０．５〜２．０メートル、０．７５〜２．０メートル、０．７５〜１．５メートル、または０．７５〜１．２５メートルの範囲内の幅、および
５０〜３０００μｍ、１００〜３０００μｍ、２００〜３０００μｍ、２００〜１５００μｍ、３００〜１０００μｍ、３００〜８００μｍ、３００〜７００μｍ、または１００〜６００μｍの範囲内の厚さ
の少なくとも１つを有する、請求項１に記載のキット。
【請求項３】
前記固形シリコーンゴムは熱硬化性ポリマーを含む、請求項１または２に記載のキット。
【請求項４】
前記基板層はガラス繊維層を含む、請求項１乃至３のいずれか１項に記載のキット。
【請求項５】
前記基板層は１１０μｍ〜１７０μｍの範囲内の厚さを有する、請求項１乃至４のいずれか１項に記載のキット。
【請求項６】
前記固形シリコーンゴム層は２０μｍ〜１２０μｍの範囲内の厚さを有する、請求項１乃至５のいずれか１項に記載のキット。
【請求項７】
前記固形シリコーンゴム層の厚さと前記基板層の厚さとの間の比率は、０．１０〜０．７５の範囲内にある、請求項１乃至６のいずれか１項に記載のキット。
【請求項８】
前記熱硬化性テープの厚さと前記可撓性ベルトの厚さとの間の比率は、０．１５〜１１．１５の範囲内にある、請求項１乃至７のいずれか１項に記載のキット。
【請求項９】
前記熱硬化性テープの長さは前記可撓性ベルトの幅よりも大きい、請求項１乃至８のいずれか１項に記載のキット。
【請求項１０】
前記熱硬化性テープの幅と前記可撓性ベルトの長さとの間の比率は、０．０１〜０．０３の範囲内にある、請求項１乃至９のいずれか１項に記載のキット。
【手続補正書】
【提出日】令和3年7月13日(2021.7.13)
【手続補正１】
【補正対象書類名】特許請求の範囲
【補正対象項目名】全文
【補正方法】変更
【補正の内容】
【特許請求の範囲】
【請求項１】
患者の手に置かれたウェアラブルデバイスを使用してＶＡＤデバイスパラメータを調整する方法であって、
前記ウェアラブルデバイス内のセンサからの信号のセットを取得するステップと、
少なくとも１つの品質メトリックを計算するステップと、
少なくとも１つの前記品質メトリックを最適化するように少なくとも１つのＶＡＤ動作パラメータを調整するステップとを含む、方法。
【請求項２】
前記ＶＡＤデバイスが、ＬＶＡＤ（左心室補助デバイス）である、請求項１に記載の方法。
【請求項３】
前記ウェアラブルデバイスにおける前記センサのセットが、橈骨動脈上に配置された圧力センサ、フォトプレチスモグラフィセンサ、酸素飽和レベルセンサ、加速度計、および、温度センサ、のうちの少なくとも１つを含む、請求項１に記載の方法。
【請求項４】
前記ＶＡＤデバイス内のセンサから信号を取得するステップをさらに含む、請求項１に記載の方法。
【請求項５】
追加埋め込みデバイス内のセンサから信号を取得するステップをさらに含み、
前記追加埋め込みデバイスは、除細動器、ペースメーカ、心臓再同期療法ＣＲＴ、および迷走神経刺激器、またはこれらのいずれかの組み合わせ、からなるグループから選択される、請求項１に記載の方法。
【請求項６】
前記品質メトリックが、収縮期血圧、拡張期血圧、平均動脈圧、心拍数、心拍数変動性、血圧変動性、活動レベルまたは皮膚温度、および心拍出量のうちの少なくとも１つを含む、請求項１に記載の方法。
【請求項７】
前記ステップが周期的に繰り返される、請求項１に記載の方法。
【請求項８】
前記最適化されるＶＡＤパラメータは、少なくともＶＡＤ回転速度または周波数を含む、請求項１に記載の方法。
【請求項９】
前記方法は、前記センサによってパルスが検出されるまで、上腕動脈上に配置されたカフを上腕動脈全体の閉塞状態からゆっくりと収縮させることを含む、請求項１に記載の方法。
【請求項１０】
少なくとも１つのセンサを含む手首装着型デバイスを使用してＶＡＤ患者の弁活動を検出する方法であって、
前記ウェアラブルデバイス内のセンサから信号を取得するステップと、
前記信号から特徴のセットを計算し、弁活動が存在する時間部分を抽出するアルゴリズムを実行するステップとを含む、方法。
【請求項１１】
前記ＶＡＤデバイス内のセンサから信号を取得するステップをさらに含み、
前記ウェアラブルデバイスにおける前記センサのセットが、橈骨動脈上に配置された圧力センサ、フォトプレチスモグラフィセンサ、酸素飽和レベルセンサ、加速度計、および、温度センサ、のうちの少なくとも１つを含む、請求項１０に記載の方法。
【請求項１２】
前記特徴の少なくとも１つが、収縮期立ち上がり時間、拡張期立ち下がり時間、心拍数、発作性ノッチ位置、発作性ノッチタイミング、発作性ノッチ検出、フーリエパルス係数、およびパルス振幅のうちの少なくとも１つを含む、請求項１０に記載の方法。
【請求項１３】
前記アルゴリズムは、ランダムフォレスト、決定木学習、サポートベクトルマシン（ＳＶＭ）、人工ニューラルネットワーク、およびディープラーニングのうちの１つを使用する機械学習から導出される、請求項１０に記載の方法。
【請求項１４】
前記アルゴリズムのためのパラメータが、デバイスが動作可能になる前に特定の患者から収集された信号に関する機械学習から導出される、請求項１０に記載の方法。
【請求項１５】
少なくとも１つのセンサを含む手首装着型デバイスを使用して、少なくとも１つのＶＡＤ埋め込み患者の血行動態パラメータを計算する方法であって、
前記ウェアラブルデバイス内のセンサから信号を取得するステップと、
前記信号から特徴のセットを計算するステップと、
前記血行動態パラメータを計算するためのアルゴリズムを実行するステップとを含み、
前記血行動態パラメータが、収縮期血圧、拡張期血圧、平均動脈圧、心拍数、心拍変動性または収縮期肺圧、拡張期肺圧、平均肺圧、肺毛細血管ウェッジ圧または左心室圧、および拡張期圧、またはこれらのいずれかの組み合わせ、からなるグループから選択される、方法。
【請求項１６】
前記ＶＡＤデバイス内のセンサから信号を取得するステップをさらに含む、請求項１５に記載の方法。
【請求項１７】
１つまたは複数の他の埋め込みデバイス内のセンサから信号を取得するステップをさらに含み、
前記１つまたは複数の埋め込みデバイスは、心臓ＭＥＭ、除細動器、ペースメーカ、心臓再同期治療ＣＲＴ、および迷走神経刺激器、またはこれらのいずれかの組み合わせ、からなるグループから選択される、請求項１５に記載の方法。
【請求項１８】
前記アルゴリズムは、ランダムフォレスト、決定木学習、サポートベクトルマシン（ＳＶＭ）、人工ニューラルネットワーク、およびディープラーニングのうちの１つを使用して機械学習から導出される、請求項１５に記載の方法。
【請求項１９】
前記アルゴリズムのためのパラメータが、デバイスが動作可能になる前に特定の患者から収集された信号に関する機械学習から導出される、請求項１５に記載の方法。
【請求項２０】
前記方法は、前記特徴または前記血行動態パラメータに基づいてリスク分類をさらに計算するステップを含み、
前記リスク分類が、脳卒中（虚血性または出血性）、右室不全、心室性不整脈、超心室性不整脈、低または高ボレミア、および大動脈弁閉鎖不全の少なくとも１つに関係し、および／または、リスク分類アルゴリズムが、ランダムフォレスト、決定木学習、サポートベクトルマシン（ＳＶＭ）、人工ニューラルネットワーク、およびディープラーニングのうちの１つを使用する機械学習から導出される、請求項１５に記載の方法。
【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
ステントを提供する方法であって、
血管の実際の形状の三次元（３Ｄ）モデルに応答して、前記血管の非狭窄形状の３Ｄモデルを生成することと、
しぼんだ構成から、前記非狭窄形状に並置される最終構成に拡張することができるステントのパラメータ記述を確立することであって、前記パラメータ記述が、前記ステントの支柱を特徴付けるパラメータを含む、前記確立することと、
前記しぼんだ構成と前記最終構成の間での塑性変形中にステント支柱が破損するリスクを含んだ発見的設計に応答して、前記パラメータ記述のパラメータを変えることによって前記ステント用の設計を作り出すことと、
前記ステント用の前記設計に従って前記ステントを具体化することと
を含む方法。
【請求項２】
前記しぼんだ構成の前記ステントを支持するようにマンドレルの形状を確立することと、
前記マンドレルの前記形状に従って前記マンドレルを具体化することと
をさらに含む、請求項１に記載の方法。
【請求項３】
前記マンドレルの前記形状を確立することが、前記マンドレルの膜から突出する複数の柱を確立することであって、前記柱のうちの少なくとも１つが、前記柱のうちの少なくとも１つの他の柱とは異なる半径まで延在する、前記確立することを含む、請求項２に記載の方法。
【請求項４】
前記マンドレルの前記形状を確立することが、前記しぼんだ構成の前記ステントのブリッジを支持するように、前記マンドレルの前記柱を構成することを含む、請求項２または３に記載の方法。
【請求項５】
前記マンドレルの前記形状を確立することが、前記マンドレルが伸長形状に拡張されたときに前記最終構成の前記ステントのブリッジも支持するように、前記マンドレルの前記柱を構成することを含む、請求項４に記載の方法。
【請求項６】
前記マンドレルを具体化することが、前記マンドレルを３Ｄ印刷することを含み、前記ステントを具体化することが、前記ステントのブリッジが前記マンドレルの前記柱に位置合わせされるように前記マンドレルの周りに前記ステントを３Ｄ印刷することを含む、請求項２ないし５のいずれかに記載の方法。
【請求項７】
前記ステントを具体化することが、前記最終構成の前記ステントを３Ｄ印刷することを含み、前記方法は、
前記最終構成から前記しぼんだ構成に前記ステントをクリンプするのを容易にするようにスリーブの形状を確立することと、
前記スリーブの前記形状に従って前記スリーブを具体化することと
をさらに含む、請求項１ないし６のいずれかに記載の方法。
【請求項８】
前記スリーブの前記形状が、概ね円筒形の本体、および前記本体から内向きに突出する柱を含む、請求項７に記載の方法。
【請求項９】
前記スリーブの前記形状を確立することが、前記ステントのブリッジをその最終構成からそのしぼんだ構成に均一に径方向に圧縮するように前記スリーブの前記柱を構成することを含む、請求項７または８に記載の方法。
【請求項１０】
前記スリーブを具体化することが、前記ステントの周りに前記スリーブを３Ｄ印刷することを含む、請求項９に記載の方法。
【請求項１１】
前記しぼんだ構成の前記ステントを支持するようにマンドレルの形状を確立することと、
前記マンドレルの前記形状に従って前記マンドレルを具体化することと、
前記ステントをその最終構成で前記マンドレルの周りに配置することと、
前記最終構成から前記しぼんだ構成に前記ステントをクリンプするのを容易にするようにスリーブの形状を確立することと、
前記スリーブの前記形状に従って前記スリーブを具体化することと、
前記ステントの周りに前記スリーブを配置することと、
前記スリーブを使用して前記ステントの非対称的なブリッジに均一な径方向の力を分散させて、前記マンドレルに前記ステントをクリンプすることと
をさらに含む、請求項１ないし１０のいずれかに記載の方法。
【請求項１２】
装置であって、
バルーンを受けるための概ね円筒形の中空の膜を有し、前記膜の外側表面から突出する複数の柱を有するマンドレルであって、前記柱のうちの少なくとも１つが、前記柱のうちの少なくとも１つの他の柱とは異なる半径まで突出している、前記マンドレルと、
前記マンドレルの前記柱がステントのブリッジに当接することによって、前記マンドレルに支持される前記ステントと
を備える、装置。
【請求項１３】
前記マンドレル内に挿入されるバルーン・カテーテルをさらに備える、請求項１２に記載の装置。
【請求項１４】
前記ステントを囲むスリーブさらに備え、前記スリーブが、前記マンドレルの指部に対向して前記ステントの前記ブリッジに接触する内向きに突出する指部を有し、前記内向きに突出する指部のうちの少なくとも１つが、前記内向きに突出する指部のうちの少なくとも１つの他の指部とは異なる半径まで突出する、請求項１２または１３に記載の装置。
【請求項１５】
前記マンドレルに挿入されるバルーン・カテーテルをさらに備える、請求項１２ないし１４のいずれかに記載の装置。
【請求項１６】
前記マンドレルが、楕円形の放射線不透過性マーカを含む、請求項１２ないし１５のいずれかに記載の装置。
【請求項１７】
ステントを提供する方法であって、
非対称的なしぼんだ構成を有するステントを血管に挿入することと、
前記血管を通って前記血管の所与のロケーションにある狭窄部に至るように前記ステントを操作することと、
前記しぼんだ構成から、前記血管内の前記所与のロケーションの非対称的な非狭窄形状に対応した非対称的な最終構成に、前記ステントを拡張することと
を含む方法。
【請求項１８】
前記ステントの挿入および操作中に、前記ステントの前記しぼんだ構成を前記ステントのブリッジにおいて支持するように非対称的な柱を有するマンドレルで、前記ステントを支持することをさらに含み、前記ステントを拡張することが、前記マンドレル内でバルーンを膨らませることを含む、請求項１７に記載の方法。
【請求項１９】
コンピュータ読取り可能媒体に記憶され、デジタル・コンピュータの内部メモリにロード可能なコンピュータ・プログラムであって、前記プログラムがコンピュータ上で走らされたときに、請求項１ないし１１、または請求項１７もしくは１８のいずれかに記載の方法を実施するためのソフトウェア・コード部分を含む、コンピュータ・プログラム。
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
液体ヘリウムタンクと、
前記液体ヘリウムタンク内に配置される超電導磁石巻線と、
前記液体ヘリウムタンクを囲む真空ジャケットと、
前記真空ジャケットを通過するコールドヘッドであって、前記真空ジャケットの外壁に溶接される温端部、及び、前記液体ヘリウムタンク内に配置される低温ステーションを有する、コールドヘッドと、
前記真空ジャケット内に配置され、前記コールドヘッドに固定されるか又は前記コールドヘッドと一体化される熱交換器と
を含む、超電導磁石において、
前記熱交換器は、前記液体ヘリウムタンクと流体連通する入口及び周囲空気と流体連通する出口を有する流体通路を含むことを特徴とする、超電導磁石。
【請求項２】
前記コールドヘッドは更に、前記真空ジャケットの外側に配置され、前記コールドヘッドの前記温端部に接続される電動駆動アセンブリであって、周囲空気に露出されている１つ以上のコネクタを含む、電導駆動アセンブリを含む、請求項１に記載の超電導磁石。
【請求項３】
前記コールドヘッドは、円筒形コールドヘッドである、請求項１又は２に記載の超電導磁石。
【請求項４】
前記コールドヘッドは、
前記コールドヘッドの前記温端部である一方の端部及び中間低温ステーションを画定する他方の端部を有する第１段セクションと、
前記中間低温ステーションに接続され、前記液体ヘリウムタンク内に入り込んで前記液体ヘリウムタンク内に配置される低温ステーションを画定する第２段セクションと、
を含み、
前記熱交換器は、少なくとも前記第１段セクションに固定されるか又は前記第１段セクションと一体化される、請求項１から３のいずれか一項に記載の超電導磁石。
【請求項５】
前記熱交換器は、前記第１段セクションには固定されるが、前記第２段セクションには固定されない、請求項４に記載の超電導磁石。
【請求項６】
前記熱交換器は、
前記コールドヘッドの前記第１段セクションに固定されるか又は前記第１段セクションと一体化される第１の熱交換器セクションと、
前記コールドヘッドの前記第２段セクションに固定されるか又は前記第２段セクションと一体化される第２の熱交換器セクションと、
を含む、請求項４に記載の超電導磁石。
【請求項７】
前記第２の熱交換器セクションは、前記液体ヘリウムタンクと流体連通する前記熱交換器の前記入口を含み、
前記第１の熱交換器セクションは、周囲空気と流体連通する前記熱交換器の前記出口を含み、
前記熱交換器は更に、前記第１の熱交換器セクションと前記第２の熱交換器セクションとを直列に接続する流体導管を含む、請求項６に記載の超電導磁石。
【請求項８】
前記真空ジャケット内に配置され、前記液体ヘリウムタンクを囲む熱シールドを更に含み、
前記中間低温ステーションは、前記熱シールドと熱的に接触する、請求項４から７のいずれか一項に記載の超電導磁石。
【請求項９】
前記熱交換器は更に、
前記真空ジャケットと前記液体ヘリウムタンクとで共有される共通壁を通過する入口流体導管を含み、前記入口流体導管は、前記熱交換器の前記流体通路の前記入口と前記液体ヘリウムタンクとの流体連通を提供する、請求項１から８のいずれか一項に記載の超電導磁石。
【請求項１０】
前記熱交換器は更に、
前記真空ジャケットの前記外壁を通過し、前記熱交換器の前記流体通路の前記出口と周囲空気との流体連通を提供する出口流体導管を含む、請求項１から９のいずれか一項に記載の超電導磁石。
【請求項１１】
前記熱交換器の前記流体通路は、蛇行状流体通路、螺旋状流体通路又はマルチチャネル流体通路のうちの１つ以上を含む、請求項１から１０のいずれか一項に記載の超電導磁石。
【請求項１２】
請求項１から１１のいずれか一項に記載の超電導磁石であって、ほぼ円筒形であり、水平ボアを画定する前記超電導磁石と、
前記超電導磁石によって前記水平ボア内に発生する静磁場に傾斜磁場を重ね合わせる傾斜磁場コイルのセットと、
を含む、磁気共鳴撮像デバイス。
【請求項１３】
液体ヘリウムタンクと、前記液体ヘリウムタンク内に配置される超電導磁石巻線と、前記液体ヘリウムタンクを囲む真空ジャケットと、前記真空ジャケットの外壁に溶接されるコールドヘッドの温端部から前記液体ヘリウムタンク内に配置される低温ステーションに前記真空ジャケット内を通過する前記コールドヘッドと、前記真空ジャケット内に配置され、前記コールドヘッドに固定されるか又は前記コールドヘッドと一体化される熱交換器と、を含む超電導磁石と併せて行われる方法において、
前記熱交換器は、前記液体ヘリウムタンクと流体連通する入口及び周囲空気と流体連通する出口を有し、前記方法は、
前記コールドヘッドの電源を切るステップと、
前記コールドヘッドの電源が切られている間、前記熱交換器を介して前記液体ヘリウムタンクから周囲空気に気体ヘリウムを流すステップと、
を含むことを特徴とする、方法。
【請求項１４】
前記コールドヘッドの電源が切られている間、前記超電導磁石を輸送するステップを更に含み、これにより、前記熱交換器を介する前記液体ヘリウムタンクから周囲空気への気体ヘリウムの流れが輸送中のヘリウムボイルオフを低減する、請求項１３に記載の方法。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
少なくとも一つの支持区間と、
少なくとも一つの前記支持区間の旋回移動を行うように作動可能である駆動機構とを備え、
前記駆動機構は、軸受組立体で枢軸的に組み合わせられた少なくとも第１及び第２構成要素を含み、前記駆動機構の動作は、前記第１及び第２構成要素の間の旋回移動を引き起こし、これにより、少なくとも一つの前記支持区間の旋回移動を行う、調節可能な家具。
【請求項２】
前記軸受組立体は、回転的に互いに可動な内輪及び外輪を有する軸受を備え、前記外輪は、前記第１又は第２構成要素のうち一方に回転固定され、前記内輪は、前記第１又は第２構成要素のうち他方に回転固定され、
前記駆動機構の作動により前記内輪と前記外輪との間に相対移動を引き起こし、前記第１及び第２構成要素の間の旋回移動を生じさせ、少なくとも一つの前記支持区間の旋回移動を行う請求項１記載の調節可能な家具。
【請求項３】
前記第１又は第２構成要素のうち一方は、前記外輪に対して締り嵌めを行うように構成された一体の軸受ハウジングを備え、これにより前記外輪は、前記第１又は第２構成要素のうち前記一方に対して回転固定されている請求項２記載の調節可能な家具。
【請求項４】
前記第１又は第２構成要素のうち他方は、前記内輪に対して締り嵌めを行うように構成された固着部を備え、これにより前記内輪は、前記第１又は第２構成要素のうち前記他方に対して回転固定されている請求項３記載の調節可能な家具。
【請求項５】
前記締り嵌めは圧着（ｃｒｉｍｐｅｄ  ｆｉｔ）である請求項３又は４記載の調節可能な家具。
【請求項６】
前記第１構成要素は家具の固定されたフレームであり、前記第２構成要素は、少なくとも一つの前記支持区間に取り付けられた第１接続手段である請求項１ないし５のいずれか１項に記載の調節可能な家具。
【請求項７】
前記第１構成要素は第１接続手段であり、前記第２構成要素は第２接続手段であり、前記第１接続手段は第１支持区間に直接に作用するように動作可能であり、前記第２接続手段は第２支持区間に直接に作用するように動作可能であり、これにより前記駆動機構は同時に両方の前記支持区間に作用する請求項１ないし５のいずれか１項に記載の調節可能な家具。
【請求項８】
前記第１構成要素は第２接続手段であり、前記第２構成要素は少なくとも一つの前記支持区間に固定されたブラケットである請求項１ないし５のいずれか１項に記載の調節可能な家具。
【請求項９】
前記第１構成要素はアクチュエーターであり、前記第２構成要素は第１接続手段である請求項１ないし５のいずれか１項に記載の調節可能な家具。
【請求項１０】
少なくとも一つの前記支持区間は、多関節となっている複数の支持区間であり、前記支持区間は、少なくとも一つの調節可能な第１支持区間と少なくとも一つの調節可能な第２支持区間とを含み、
前記駆動機構は、少なくとも一つの前記第２支持区間に対して少なくとも一つの前記第１支持区間を角度調節するために、連携した旋回移動を行うための作動機構を備え、
前記作動機構は、前記第１支持区間に直接に作用するように第１接続手段を駆動するために作動可能であり、前記第２支持区間に又は前記第１及び第２支持区間を接続する旋回点に直接に作用するように第２接続手段を駆動するために作動可能であり、これにより前記作動機構は、同時に両方の前記支持区間を駆動し、
前記第２接続手段は、前記第１接続手段を介して前記作動機構によって駆動され、
前記第２接続手段は、前記第１接続手段に枢軸的に取り付けられている請求項１ないし９のいずれか１項に記載の調節可能な家具。
【請求項１１】
前記第１及び第２支持区間のうち一方は、前記作動機構と独立に、前記第１及び第２支持区間のうち他方に対して旋回可能である請求項１０記載の調節可能な家具。
【請求項１２】
前記第２接続手段は第１端及び第２端を有し、前記第１端は、前記第１接続手段に枢軸的に取り付けられ、前記第２端は、前記第２支持区間に枢軸的に取り付けられている請求項１１記載の調節可能な家具。
【請求項１３】
前記第１接続手段は、家具のフレームに枢軸的に取り付けられた第１端部と、前記第１支持区間に対して線的に（ｔｒａｎｓｌａｔｉｏｎａｌｌｙ）移動可能な第２端部とを有する請求項１０ないし１２のいずれか１項に記載の調節可能な家具。
【請求項１４】
前記第１及び第２支持区間は、下記の対のうちの一対から選択され、
前記第１支持区間は足支持区間であり、前記第２支持区間は大腿支持区間であり、又は
前記第１支持区間は背中用の支持区間であり、前記第２支持区間は首用の支持区間であり、又は
前記第１支持区間は腰用の支持区間であり、前記第２支持区間は背中用の支持区間である請求項１０ないし１３のいずれか１項に記載の調節可能な家具。
【請求項１５】
家具は、床で起立するベース区間を備えている椅子であり、少なくとも一つの前記支持区間は、前記ベース区間に対して旋回して可動なシート支持区間であり、
前記第１構成要素は、前記ベース区間に固定されたアクチュエーターであり、前記第２構成要素は、前記シート支持区間に固定されたブラケットであり、これにより前記軸受組立体は前記アクチュエーターと前記ブラケットとの間で枢軸接続を与え、前記ベース区間と前記シート支持区間との間の旋回移動を引き起こす請求項１ないし５のいずれか１項に記載の調節可能な家具。